(57)【要約】【課題】ブラスト工程で欠陥が生じた場合でも、経年劣化が生じにくく、質感の高い文字塗装を可能とする墓石作成方法を提供すること【解決手段】  ブラスト加工により墓石に文字を彫り込むブラスト工程と、ブラスト工程により削りとられた墓石の切削砂を、無色の漆と混合して穴埋め材を作成する穴埋め材作成工程と、穴埋め材作成工程により作成された穴埋め材を、ブラスト工程により生じた文字部分の欠け等の欠陥部分に埋め込む穴埋め工程と、文字表面を文字表面塗布用に調整した漆で塗布する塗布工程と、を含むことを特徴とする墓石作成方法。【選択図】なし【特許請求の範囲】
【請求項１】
ブラスト加工により墓石に文字を彫り込むブラスト工程と、
ブラスト工程により削りとられた墓石の切削砂を、無色の漆と混合して穴埋め材を作成する穴埋め材作成工程と、
穴埋め材作成工程により作成された穴埋め材を、ブラスト工程により生じた文字部分の欠け等の欠陥部分に埋め込む穴埋め工程と、
文字表面を文字表面塗布用に調整した漆で塗布する塗布工程と、
を含むことを特徴とする墓石作成方法。
【請求項２】
ブラスト加工により墓石に文字を彫り込むブラスト工程と、
ブラスト工程により削りとられた墓石の切削砂を、文字表面塗布用に調整した漆と混合して穴埋め材を作成する穴埋め材作成工程と、
穴埋め材作成工程により作成された穴埋め材を、ブラスト工程により生じた文字部分の欠け等の欠陥部分に埋め込む穴埋め工程と、
文字表面を前記文字表面塗布用に調整した漆で塗布する塗布工程と、
を含むことを特徴とする墓石作成方法。
【請求項３】
ブラスト工程後に墓石の表面洗浄をおこなう洗浄工程を含み、
穴埋め工程が洗浄直後におこなわれることを特徴とする請求項１または２に記載の墓石作成方法。
【発明の詳細な説明】
【技術分野】
【０００１】
本発明は、墓石作成方法に関し、特に、石になじみがよく文字部分を質感高く塗装してなる墓石を作成する方法に関する。
【背景技術】
【０００２】
従来、墓石や墓誌を作成するに当たっては、彫り込む文字部分を切り抜いたゴムシートを石にあてがい、サンドブラストなどにより少しずつ文字を彫り込んでいき、最後に、彫り込まれた文字部分に、白、朱、黒などの塗装をおこなっていた。
【０００３】
塗料としては石やコンクリートなどに適しているものとして、水性系塗料、溶剤系塗料、または、２液型塗料が用いられている。このうち、溶剤系塗料は揮発分が多く２度塗りを前提として設計されており、また、２液型塗料は化学反応により乾燥させるので、いずれも水性系塗料に比して取扱いに優れないという問題点があった。また、石材との関係において、シーラーその他の下地処理が必要な場合があり、工程数が増え水性系塗料に比して効率が悪いという問題点があった。
【０００４】
一方、水性系塗料は、上記問題点がなく、作業性にも優れるので、近年最もよく用いられつつある。
【特許文献１】特開平10-061258
【発明の開示】
【発明が解決しようとする課題】
【０００５】
しかしながら、従来の技術では以下の問題点があった。
まず、ブラストにより墓石に文字を彫り込む場合、石の強度があらゆる部分で一様でないので、くぼみの底面部分（文字の底部分）にブラスト加工をおこなっているとき、部分的にポロッと墓石が欠け、えぐれが生じる場合がある。同様に、くぼみの側面部分、特に、墓石表面と文字の境界の角部分が欠ける場合がある。このとき、従来は、切削砂に接着剤を混ぜて穴埋め材（パテ）をつくり、これによりえぐれや穴や欠けを補充していた。
【０００６】
しかしながら、この様な穴埋め材は、墓石が屋外暴露される結果、経年劣化が激しく、表面塗料もろとも数年で剥がれ落ちてしまう場合があるという問題点があった。また、欠陥が何らない文字部分も、塗料の経年劣化は避けられず、塗料自身の剥がれや退色が生じてしまうという問題点があった。
【０００７】
また、墓を建てたり建て直したりすることは一生涯のうちに何度もあるわけではないので、故人を弔う意味においても、落ち着きのある質感の高いものが好まれるという傾向がある。
【０００８】
本発明は上記に鑑みてなされたものであって、ブラスト工程で欠陥が生じた場合でも、経年劣化が生じにくく、質感の高い文字塗装を可能とする墓石作成方法を提供することを目的とする。
【課題を解決するための手段】
【０００９】
上記の目的を達成するために、請求項１に記載の墓石作成方法は、ブラスト加工により墓石に文字を彫り込むブラスト工程と、ブラスト工程により削りとられた墓石の切削砂を、無色の漆と混合して穴埋め材を作成する穴埋め材作成工程と、穴埋め材作成工程により作成された穴埋め材を、ブラスト工程により生じた文字部分の欠け等の欠陥部分に埋め込む穴埋め工程と、文字表面を文字表面塗布用に調整した漆で塗布する塗布工程と、を含むことを特徴とする。
【００１０】
すなわち、請求項１にかかる発明は、接着剤および塗料として両立する漆を用い、石材との親和性がよく、補修と塗装を可能とする。
【００１１】
なお、ブラスト加工は、サンドブラストの他、スチールグリットブラストなど、石材に用いることのできるものであれば種々採用できる。また、切削「砂」は、穴埋めの大きさにより小石といえるものから粉といえるものまで意味し、要は、石材から削りとられた粉、砂、または石であって、穴埋め材として適したものをいう。
【００１２】
無色の漆とは、全くの透明の他、硬化した際に石材と違和感ない目立たない色に落ち着く様な淡色も含むものとする。この意味において、無色の漆とは、淡色透明とも表現できる。なお、漆は、天然漆または工業漆のいずれでもよいが、その主成分が、ウルシオール、ラッコール、または、チチオールであるものをいうものとする。文字表面塗布用に調整した漆とは、主として色材（通常は黒、白、または、朱）により色の付いた塗料として調整されたことを意味する。なお、濃さや粘度は適宜石材用に調整されていればよいが、ある程度の厚盛りをしても垂れにくい状態であることが好ましい。
【００１３】
また、請求項２に記載の墓石作成方法は、ブラスト加工により墓石に文字を彫り込むブラスト工程と、ブラスト工程により削りとられた墓石の切削砂を、文字表面塗布用に調整した漆と混合して穴埋め材を作成する穴埋め材作成工程と、穴埋め材作成工程により作成された穴埋め材を、ブラスト工程により生じた文字部分の欠け等の欠陥部分に埋め込む穴埋め工程と、文字表面を文字表面塗布用に調整した漆で塗布する塗布工程と、を含むことを特徴とする。
【００１４】
すなわち、請求項２にかかる発明は、接着剤および塗料として両立する漆を用い、石材と親和性がよく、補修と塗装を違和感なく連続性をもっておこなうことができる。なお、場合によっては、底部の表面ならし用に穴埋め材を用いて表面を平滑化し、その後、塗料を塗ることもできる。
【００１５】
また、請求項３に記載の墓石作成方法は、請求項１または２に記載の墓石作成方法において、ブラスト工程後に墓石の表面洗浄をおこなう洗浄工程を含み、穴埋め工程が洗浄直後におこなわれることを特徴とする。
【００１６】
すなわち、請求項３にかかる発明は、表面洗浄直後の作業を可能とし、作業の短縮化を可能とする。
【発明の効果】
【００１７】
本発明によれば、ブラスト工程で欠陥が生じた場合でも、経年劣化が生じにくく、石材と塗料との親和性のよい穴埋め材により補修をおこない、質感の高い文字塗装が可能となる。また、乾燥している場合はもとより、塗布面の水分が多い雰囲気であっても簡便に文字塗装が可能となる。
【発明を実施するための最良の形態】
【００１８】
本発明は、従来漆の用途として全く着目されていなかった石およびコンクリートに着目して本願発明者が鋭意検討した結果なされたものであって、驚くべきことに、漆と石の親和性が極めて高く、穴埋め材として接着剤の役割も果たす好適材料であることを発見したことに基づく発明である。
【実施例１】
【００１９】
墓石（御影石）の表面に、１５ｃｍ×１５ｃｍの大きさの楷書体の「永」の文字をサンドブラストで深さ約７ｍｍとなる様に２文字描いた。加工中に、サンドブラストの強さを変化させて、文字の底には一部大きくえぐれた箇所と、永の三画目のハライの部分の側面には故意に欠けをつくった。その後、文字部分の埃を圧縮空気で吹き飛ばした。
【００２０】
続いて、切削屑をかき集め、片方の文字については、漆（東邦産業株式会社製：ウキ用）を接着剤として、他方の文字については、石材用接着剤ＥＰ１０００ハードタイプ（セメダイン株式会社製）を接着剤として、穴埋め材を作成し、えぐれた部分と欠けた部分に塗り込み補修した。なお、漆については、文字の底部分については朱色を、側面部分には透明のものを用いた。
【００２１】
続いて、彫り込んだ部分全面に、漆を用いて補修したものについては、朱色の漆（東邦産業株式会社製：ウキ用）を、石材用接着剤を用いて補修したものについては、煉瓦色の水性塗料（水性コンクリートカラー：ニッペホームプロダクツ株式会社製）を塗った。
【００２２】
乾燥ないし硬化過程に特に異状は見られなかったが、塗装後１ヶ月屋外暴露したところ、石材用接着剤で補修した方は、補修部分に細かなヒビが観測され、その後の暴露において剥離の可能性が生ることを確認した。そのほか、若干の退色も見られた。
【００２３】
一方、漆で補修した方は、特に細かなひび割れも観察されず、塗布当初の艶のある漆の光沢が維持された。
【００２４】
以上、本実施例によれば、漆を接着剤とした穴埋め材は、石材と塗料とのいずれとも親和性（接着性）がよく、かつ、文字表面は質感の高い漆の光沢が維持されることが確認できた。なお、補修直後の塗装も可能であることを実証できた。また、補修部分は、どの部分に補修が施されているか分からないほど、周囲となじんでいることを確認した。
【実施例２】
【００２５】
墓石（砂岩（来待石））の表面に、１５ｃｍ×１５ｃｍの大きさの楷書体の「永」の文字をサンドブラストで深さ約７ｍｍとなる様に２文字描いた。加工中に、サンドブラストの強さを変化させて、文字の底には一部大きくえぐれた箇所と、永の三画目のハライの部分の側面には故意に欠けをつくった。
【００２６】
続いて、文字部分を中心に、水で表面洗浄し、石材を十分に湿潤させた。
【００２７】
これと並行して、切削屑をかき集め、片方の文字については、漆（東邦産業株式会社製：ウキ用）を接着剤として、他方の文字については、石材用接着剤ＥＰ１０００ハードタイプ（セメダイン株式会社製）を接着剤として、穴埋め材を作成し、共に湿潤したえぐれ部分と欠け部分に塗り込み補修をおこなった。なお、漆については、文字の底部分については朱色を、側面部分には透明のものを用いた。このとき、石材用接着剤の方は、接着性が非常に悪かった。
【００２８】
続いて、彫り込んだ部分全面に、漆を用いて補修したものについては、朱色の漆（東邦産業株式会社製：ウキ用）を、石材用接着剤を用いて補修したものについては、煉瓦色の水性塗料（水性コンクリートカラー：ニッペホームプロダクツ株式会社製）を塗った。ここで、石材用接着剤を用いた方は、塗装の途中に補修部分がいずれもずれて、接着力が発揮できていないことが確認された。
【００２９】
塗装したものを１ヶ月屋外暴露したところ、石材用接着剤で補修した方は、補修部分が浮き、補修が不十分であることに加え、全体的に色むらが生じていることを確認した。そのほか、若干の退色も見られた。
【００３０】
一方、漆で補修した方は、特に細かなひび割れも観察されず、御影石の場合と同様に塗布当初の艶のある質感高い漆の光沢が維持された。また、補修直後の塗装も可能であることを実証できた。加えて、補修部分は、どの部分に補修が施されているか分からないほど、周囲となじんでいることが確認できた。
【００３１】
以上、本実施例によれば、墓石に水分が多量に含まれている環境下でも、漆を接着剤とした穴埋め材は、石材と塗料とのいずれとも親和性がよく、かつ、文字表面は質感の高い漆の光沢が維持されることが確認できた。従って、雨天作業も可能であることが立証できた。
【実施例３】
【００３２】
墓石（砂岩（来待石））の表面に、１５ｃｍ×１５ｃｍの大きさの楷書体の「永」の文字をサンドブラストで深さ約７ｍｍとなる様に２文字描いた。加工中に、サンドブラストの強さを変化させて、文字の底には一部大きくえぐれた箇所と、永の三画目のハライの部分の側面には故意に欠けをつくった。続いて、文字部分の埃を圧縮空気で吹き飛ばした。
【００３３】
次に、切削屑をかき集め、片方の文字については、漆（東邦産業株式会社製：ウキ用）を接着剤として、他方の文字については、石材用接着剤ＥＰ１０００ハードタイプ（セメダイン株式会社製）を接着剤として、穴埋め材を作成し、共に湿潤したえぐれ部分と欠け部分に塗り込み補修をおこなった。なお、漆については、文字の底部分については朱色を、側面部分には透明のものを用いた。
【００３４】
続いて、彫り込んだ部分全面に、漆を用いて補修したものについては、朱色の漆（東邦産業株式会社製：ウキ用）を、石材用接着剤を用いて補修したものについては、煉瓦色の水性塗料（水性コンクリートカラー：ニッペホームプロダクツ株式会社製）を塗った。
【００３５】
これらを屋外暴露した。水性塗料を塗布した方は、１５分程度で表面がぱさつき、手で触ったところ、粉状であって、塗料が十分に定着していないことが確認できた。これをそのまま１ヶ月屋外暴露したところ、途中に降った雨で塗料が流され、墓石が全体として非常に汚くなってしまった。
【００３６】
一方、漆で補修した方は、特に細かなひび割れも観察されず、御影石の場合と同様に塗布当初の艶のある漆の光沢が維持された。
【００３７】
以上、本実施例によれば、墓石の吸水性が高い場合であっても漆を接着剤とした穴埋め材は、石材と塗料とのいずれとも親和性がよく、かつ、文字表面は質感の高い漆の光沢が維持されることが確認できた。
【００３８】
これらの実施例から明らかな様に、漆は石材の吸水性に関わらず切削屑同士をつなぎ合わせつつ、強固に石材に接着可能な穴埋め材として利用でき、かつ、塗料として質感高い光沢を長期間維持することができることが確認できた。特に、穴埋めに用いる場合には、塗料と接着剤を同じ色とすることができ、全く違和感なく補修および塗布が可能となる。
【産業上の利用可能性】
【００３９】
本発明は、墓石に用いることができるので、墓誌に応用することも可能である。